(57)【要約】【課題】  デフォーカスに起因するリング状のボケが発生することのない反射屈折撮影レンズ。【解決手段】  物体側から順に、第一反射鏡と、第二反射鏡と、レンズ群とを有し、第一反射鏡で反射された光は第二反射鏡にて反射されたのち、レンズ群を通って所定の像面に物体像を形成するように配置されている。第一反射鏡と第二反射鏡とは基準面内で偏心している。第一反射鏡の反射面は回転非対称な非球面であって、基準面内及び第一直交面内で物体側に凹面である形状を有する。第二反射鏡の反射面は回転非対称な非球面である。レンズ群のうちの最も第二反射鏡側の面は回転非対称な非球面である。レンズ群は、互いに同じ光学材料により形成された２つのレンズを有する。【選択図】  図１
2014081414.tif 000002
【特許請求の範囲】
【請求項１】
物体側から順に、第一反射鏡と、第二反射鏡と、レンズ群とを有し、前記第一反射鏡で反射された光は前記第二反射鏡にて反射されたのち、前記レンズ群を通って所定の像面に物体像を形成するように配置されており、
前記物体の中心と前記第一反射鏡の中心とを結ぶ直線を第一基準軸とし、前記第二反射鏡の中心と前記像面の中心とを結ぶ直線を第二基準軸とし、前記第一基準軸と前記第二基準軸とを含む平面を基準面とし、前記第一反射鏡の中心を通り前記基準面に垂直で前記第一基準軸と所定の角度をなす平面を第一直交面とし、前記第二反射鏡の中心を通り前記基準面に垂直で前記第二基準軸と所定の角度をなす平面を第二直交面とし、前記レンズ群のうち最も前記第二反射鏡側の面の中心を通り前記基準面に垂直で前記第二基準軸に平行な平面を第三直交面とするとき、
前記第一反射鏡と前記第二反射鏡とは前記基準面内で偏心しており、
前記第一反射鏡の反射面は回転非対称な非球面であって、前記基準面内及び前記第一直交面内で前記物体側に凹面である形状を有し、
前記第二反射鏡の反射面は回転非対称な非球面であり、
前記レンズ群のうちの最も前記第二反射鏡側の面は回転非対称な非球面であり、
前記レンズ群は、互いに同じ光学材料により形成された２つのレンズを有することを特徴とする反射屈折撮影レンズ。
【請求項２】
前記２つのレンズは、回転非対称な非球面形状の入射面および射出面を有することを特徴とする請求項１に記載の反射屈折撮影レンズ。
【請求項３】
前記２つのレンズは、前記第二反射鏡側の第１レンズの非球面形状の入射面の接平面と、前記像面側の第２レンズの非球面形状の入射面の接平面とが、前記基準面内でハの字を形成するように配置されていることを特徴とする請求項２に記載の反射屈折撮影レンズ。
【請求項４】
前記第１レンズの非球面形状の入射面の接平面が前記第二基準軸の直交面と前記基準面内でなす第１傾き角度、および前記第２レンズの非球面形状の入射面の接平面が前記第二基準軸の直交面と前記基準面内でなす第２傾き角度は、５度よりも大きく且つ６５度よりも小さいことを特徴とする請求項３に記載の反射屈折撮影レンズ。
【請求項５】
前記第１レンズの非球面形状の入射面の接平面と前記第１レンズの非球面形状の射出面の接平面とが前記基準面内でなす第１楔角度、および前記第２レンズの非球面形状の入射面の接平面と前記第２レンズの非球面形状の射出面の接平面とが前記基準面内でなす第２楔角度は、３５度よりも小さいことを特徴とする請求項３または４に記載の反射屈折撮影レンズ。
【請求項６】
前記２つのレンズは、前記第三直交面内でメニスカス形状を有することを特徴とする請求項１乃至５のいずれか１項に記載の反射屈折撮影レンズ。
【請求項７】
前記物体面と前記像面とは平行であることを特徴とする請求項１乃至６のいずれか１項に記載の反射屈折撮影レンズ。
【請求項８】
前記第一反射鏡の前記物体側に配置されて、回転非対称な非球面形状の光学面を有する保護レンズを備えていることを特徴とする請求項１乃至７のいずれか１項に記載の反射屈折撮影レンズ。
【発明の詳細な説明】
【技術分野】
【０００１】
本発明は、反射屈折撮影レンズに関する。
【背景技術】
【０００２】
例えばカメラに用いられる撮影レンズとして、色収差の良好な補正と小型化との両立を図るのに有利な反射屈折撮影レンズが知られている。従来の反射屈折撮影レンズは、直線状に延びる単一の光軸に沿って配置された凹面反射鏡と凸面反射鏡とを含み、光軸に関して回転対称な光学系である（例えば、特許文献１を参照）。
【先行技術文献】
【特許文献】
【０００３】
【特許文献１】特開平１１−２１２１３２号公報
【発明の概要】
【発明が解決しようとする課題】
【０００４】
従来の反射屈折撮影レンズでは、物体（被写体）からの光束の中央部分が凸面反射鏡により遮られた後、中央開口部を有する凹面反射鏡および凸面反射鏡で順次反射され、凹面反射鏡の開口部を介して像面に達する。その結果、像面に達する結像光束の中央部分は欠如しており、像面に対するデフォーカス（焦点位置ずれ）に起因して物体像にリング状のボケが発生し易い。
【０００５】
本発明は、前述の課題に鑑みてなされたものであり、デフォーカスに起因するリング状のボケが発生することのない反射屈折撮影レンズを提供することを目的とする。
【課題を解決するための手段】
【０００６】
前記課題を解決するために、本発明では、物体側から順に、第一反射鏡と、第二反射鏡と、レンズ群とを有し、前記第一反射鏡で反射された光は前記第二反射鏡にて反射されたのち、前記レンズ群を通って所定の像面に物体像を形成するように配置されており、
前記物体の中心と前記第一反射鏡の中心とを結ぶ直線を第一基準軸とし、前記第二反射鏡の中心と前記像面の中心とを結ぶ直線を第二基準軸とし、前記第一基準軸と前記第二基準軸とを含む平面を基準面とし、前記第一反射鏡の中心を通り前記基準面に垂直で前記第一基準軸と所定の角度をなす平面を第一直交面とし、前記第二反射鏡の中心を通り前記基準面に垂直で前記第二基準軸と所定の角度をなす平面を第二直交面とし、前記レンズ群のうち最も前記第二反射鏡側の面の中心を通り前記基準面に垂直で前記第二基準軸に平行な平面を第三直交面とするとき、
前記第一反射鏡と前記第二反射鏡とは前記基準面内で偏心しており、
前記第一反射鏡の反射面は回転非対称な非球面であって、前記基準面内及び前記第一直交面内で前記物体側に凹面である形状を有し、
前記第二反射鏡の反射面は回転非対称な非球面であり、
前記レンズ群のうちの最も前記第二反射鏡側の面は回転非対称な非球面であり、
前記レンズ群は、互いに同じ光学材料により形成された２つのレンズを有することを特徴とする反射屈折撮影レンズを提供する。
【発明の効果】
【０００７】
本発明の反射屈折撮影レンズでは、中央部分の欠如していない中実断面の光束が物体像を形成するので、デフォーカスに起因するリング状のボケが発生することなく、鮮明な物体像が得られる。
【図面の簡単な説明】
【０００８】
【図１】実施形態の各実施例にかかる反射屈折撮影レンズの基本構成を概略的に示す図である。
【図２】第１実施例にかかる反射屈折撮影レンズのＹＺ平面に沿った断面構成を概略的に示す図である。
【図３】第１実施例にかかる反射屈折撮影レンズのＸＺ平面に沿った断面構成を概略的に示す図である。
【図４】第１実施例のｇ線、ｅ線、Ｃ線に対する収差をスポットダイアグラムで示す図である。
【図５】各実施例のスポットダイアグラムにおける９つの像点の位置を示す図である。
【図６】第２実施例にかかる反射屈折撮影レンズのＹＺ平面に沿った断面構成を概略的に示す図である。
【図７】第２実施例にかかる反射屈折撮影レンズのＸＺ平面に沿った断面構成を概略的に示す図である。
【図８】第２実施例のｇ線、ｅ線、Ｃ線に対する収差をスポットダイアグラムで示す図である。
【図９】第３実施例にかかる反射屈折撮影レンズのＹＺ平面に沿った断面構成を概略的に示す図である。
【図１０】第３実施例にかかる反射屈折撮影レンズのＸＺ平面に沿った断面構成を概略的に示す図である。
【図１１】第３実施例のｇ線、ｅ線、Ｃ線に対する収差をスポットダイアグラムで示す図である。
【図１２】第４実施例にかかる反射屈折撮影レンズのＹＺ平面に沿った断面構成を概略的に示す図である。
【図１３】第４実施例にかかる反射屈折撮影レンズのＸＺ平面に沿った断面構成を概略的に示す図である。
【図１４】第４実施例のｇ線、ｅ線、Ｃ線に対する収差をスポットダイアグラムで示す図である。
【図１５】第５実施例にかかる反射屈折撮影レンズのＹＺ平面に沿った断面構成を概略的に示す図である。
【図１６】第５実施例にかかる反射屈折撮影レンズのＸＺ平面に沿った断面構成を概略的に示す図である。
【図１７】第５実施例のｇ線、ｅ線、Ｃ線に対する収差をスポットダイアグラムで示す図である。
【図１８】第６実施例にかかる反射屈折撮影レンズのＹＺ平面に沿った断面構成を概略的に示す図である。
【図１９】第６実施例にかかる反射屈折撮影レンズのＸＺ平面に沿った断面構成を概略的に示す図である。
【図２０】第６実施例のｇ線、ｅ線、Ｃ線に対する収差をスポットダイアグラムで示す図である。
【発明を実施するための形態】
【０００９】
実施形態の具体的な説明に先立ち、本発明における収差補正のメカニズムについて説明する。本発明は、可視域での結像レンズ、例えば比較的長い焦点距離を持つカメラレンズに関するものであるが、色収差の補正のために反射屈折光学系を採用している。長焦点距離のレンズでは、色収差の補正が最も困難である。焦点距離が短くても色収差の補正は重要であるが、長焦点距離の場合には特に二次の色収差の補正が問題になる。
【００１０】
二色の色消しには分散の異なる二種類以上の光学材料を用いれば良いが、長焦点距離の光学系において可視域という広い波長範囲に亘る色消しを行うには、より多くの種類の光学材料が必要になる。ただし、多くの種類の光学材料を用いることはレンズ枚数の増加を招き、最終的には、光学系の重量の増加、大型化、高コスト化の問題につながる。そこで、本発明では、色収差（特に二次の色収差）を補正するために一対の反射鏡を用いている。
【００１１】
ただし、反射鏡では色収差が発生しない反面、一対の反射鏡を直線状の共軸に沿って並べると光束の一部が遮蔽されるので、光束の遮蔽を回避するには一対の反射鏡を偏心させて配置することになる。一対の反射鏡を偏心させて配置すると、偏心に伴う新たな収差が発生する。つまり、反射鏡を活用することにより色収差補正の課題は解決されるが、一対の反射鏡の偏心配置が必要になるため、色収差の補正の問題は偏心収差の補正の問題へと課題が変わる。本発明では、この偏心収差の補正の問題を、所謂自由曲面状の光学面を用いることにより解決し、最終的に収差の良好に補正された高い結像性能を有する光学系を提供する。
【００１２】
以下、実施形態を、添付図面に基づいて説明する。図１は、実施形態の各実施例にかかる反射屈折撮影レンズの基本構成を概略的に示す図である。各実施例にかかる反射屈折撮影レンズは、例えばカメラに用いられる撮影レンズであって、図１に示すように、物体側から光の入射順に、第一反射鏡ＣＭ１と、第二反射鏡ＣＭ２と、２つのレンズＬ１およびＬ２からなるレンズ群（Ｌ１，Ｌ２）とを有する。第６実施例では、第一反射鏡ＣＭ１の物体側に保護レンズＬ０が付設されている。
【００１３】
図１において、基準軸（第一基準軸）ＡＸａは、無限遠にある物体の中心と第一反射鏡ＣＭ１の中心（反射面の原点）とを結ぶ直線である。基準軸ＡＸｂは、第一反射鏡ＣＭ１の中心と第二反射鏡ＣＭ２の中心（反射面の原点）とを結ぶ直線である。基準軸（第二基準軸）ＡＸｃは、第二反射鏡ＣＭ２の中心と像面ＩＭの中心とを結ぶ直線である。図１では、全体座標系（Ｘ，Ｙ，Ｚ）として、図１の紙面に垂直な方向にＸ軸を、図１の紙面に沿って鉛直方向にＹ軸を、図１の紙面に沿って水平方向にＺ軸を設定している。各実施例において、基準軸ＡＸａは、Ｚ軸に沿って水平方向に延びている。
【００１４】
基準軸ＡＸａ、ＡＸｂおよびＡＸｃは、図１の紙面（ＹＺ平面）に沿ってそれぞれ直線状に延びている。すなわち、基準軸ＡＸａ〜ＡＸｃは、ＹＺ平面に沿った断面構成ではジグザグ状であるが、ＸＺ平面に沿った断面構成では１本の直線に重なって見える。物体面と像面ＩＭとは平行である。以下、基準軸ＡＸａと基準軸ＡＸｃとを含む平面、すなわちＹＺ平面を基準面とする。
【００１５】
図１では、第一反射鏡ＣＭ１、第二反射鏡ＣＭ２、およびレンズＬ１，Ｌ２における局所座標系（ｘ，ｙ，ｚ）をそれぞれ設定している。第一反射鏡ＣＭ１の局所座標系において、ｘ軸はＸ軸と平行に設定され、ｙｚ平面はＹＺ平面と一致するように設定され、ｙ軸はＹ軸を反時計廻りに角度θ０１だけ回転させて得られる方向と一致している。すなわち、第一反射鏡ＣＭ１の局所座標系のｙ軸が全体座標系のＹ軸となす角度の大きさはθ０１である。
【００１６】
第二反射鏡ＣＭ２の局所座標系において、ｘ軸はＸ軸と平行に設定され、ｙｚ平面はＹＺ平面と一致するように設定され、ｙ軸はＹ軸を反時計廻りに角度θ０２だけ回転させて得られる方向と一致している。すなわち、第二反射鏡ＣＭ２の局所座標系のｙ軸が全体座標系のＹ軸となす角度の大きさはθ０２である。各実施例において、角度の大きさθ０１とθ０２とは互いに同じである。
【００１７】
レンズＬ１の入射面Ｒ１１の局所座標系において、ｘ軸はＸ軸と平行に設定され、ｘｙ平面は入射面Ｒ１１の接平面Ｔ１１と一致し、ｙｚ平面はＹＺ平面と一致するように設定されている。入射面Ｒ１１の局所座標系のｙ軸が全体座標系のＹ軸となす角度の大きさはθ１１である。レンズＬ１の射出面Ｒ１２の局所座標系において、ｘ軸はＸ軸と平行に設定され、ｘｙ平面は射出面Ｒ１２の接平面Ｔ１２と一致し、ｙｚ平面はＹＺ平面と一致するように設定されている。射出面Ｒ１２の局所座標系のｙ軸が全体座標系のＹ軸となす角度の大きさはθ１２である。
【００１８】
レンズＬ２の入射面Ｒ２１の局所座標系において、ｘ軸はＸ軸と平行に設定され、ｘｙ平面は入射面Ｒ２１の接平面Ｔ２１と一致し、ｙｚ平面はＹＺ平面と一致するように設定されている。入射面Ｒ２１の局所座標系のｙ軸が全体座標系のＹ軸となす角度の大きさはθ２１である。レンズＬ２の射出面Ｒ２２の局所座標系において、ｘ軸はＸ軸と平行に設定され、ｘｙ平面は射出面Ｒ２２の接平面Ｔ２２と一致し、ｙｚ平面はＹＺ平面と一致するように設定されている。射出面Ｒ２２の局所座標系のｙ軸が全体座標系のＹ軸となす角度の大きさはθ２２である。
【００１９】
像面ＩＭは、ＸＹ面に平行な平面である。図１では図示を省略したが、第６実施例において第一反射鏡ＣＭ１の物体側に配置される保護レンズＬ０の入射面の局所座標系では、ｘ軸、ｙ軸およびｚ軸がＸ軸、Ｙ軸およびＺ軸とそれぞれ平行に設定されている。すなわち、保護レンズＬ０の入射面における局所座標系のｙ軸が全体座標系のＹ軸となす角度の大きさは０である。同様に、保護レンズＬ０の射出面の局所座標系において、ｘ軸、ｙ軸およびｚ軸はＸ軸、Ｙ軸およびＺ軸とそれぞれ平行に設定されている。すなわち、保護レンズＬ０の射出面における局所座標系のｙ軸が全体座標系のＹ軸となす角度の大きさは０である。
【００２０】
第一反射鏡ＣＭ１の反射面は回転非対称な非球面であって、基準面内及び基準面に垂直なｘｚ平面（第一直交面）内で物体側に凹面である形状を有する。第二反射鏡ＣＭ２の反射面、レンズＬ１の入射面Ｒ１１および射出面Ｒ１２、並びにレンズＬ２の入射面Ｒ２１および射出面Ｒ２２は、回転非対称な非球面である。第６実施例において第一反射鏡ＣＭ１の物体側に配置される保護レンズＬ０の入射面および射出面も、回転非対称な非球面である。
【００２１】
このように、第一反射鏡ＣＭ１と第二反射鏡ＣＭ２とは、第一反射鏡ＣＭ１で反射された光が第二反射鏡ＣＭ２にて反射された後、レンズＬ１およびＬ２を通って像面ＩＭに物体像を形成するように基準面内で偏心している。換言すれば、物体からの光束の中央部分が遮られることなく像面ＩＭに達するように、ひいては中央部分の欠如していない中実断面の光束が像面ＩＭに物体像を形成するように、第一反射鏡ＣＭ１と第二反射鏡ＣＭ２とは偏心して配置されている。
【００２２】
第一反射鏡ＣＭ１、第二反射鏡ＣＭ２、およびレンズＬ０，Ｌ１，Ｌ２における回転非対称な非球面（すなわち自由曲面）は、次の式（１）により規定されている。式（１）において、ｓは非球面のｚ方向のサグ量（単位：ｍｍ）であり、ｍおよびｎは０を含む自然数であり、Ｃ（ｍ，ｎ）は単項式ｘm・ｙnの係数である。
【００２３】
【数１】
2014081414.tif 000003
【００２４】
本実施形態では、反射鏡において色収差は発生しないが、光の遮蔽を避けるために一対の反射鏡ＣＭ１とＣＭ２とを基準面（ＹＺ平面）内で偏心させて配置している。この場合、偏心収差が発生するだけでなく、反射鏡ＣＭ１，ＣＭ２の配置に機構的な制限が生じる。本実施形態では、機構的な配置を複雑にする反射鏡の数を２枚に抑え、自由曲面状の光学面を有する２枚のレンズを追加することにより、収差を良好に補正しつつ小型化を実現している。
【００２５】
自由曲面状の光学面を有するレンズは、高度に制御された切削または研削の機械を使って加工される。そのため、加工時間が長く、加工機自体も高価である。したがって、自由曲面状の光学面を有するレンズを比較的安価に且つ大量に製造するには、高精度に加工された型を準備し、樹脂による射出成型やガラスモールドなどの手法を採用することが必要になる。そのため、自由曲面状の光学面を有するレンズに使用可能な光学材料は限られてくる。一方、一般的にレンズでは色収差が発生するが、色収差を補正するには異なる分散を有する複数種類の光学材料が必要になる。
【００２６】
各実施例では、反射鏡ＣＭ１，ＣＭ２に比較的大きなパワーを付与し、レンズＬ１，Ｌ２のパワーを比較的小さく抑え、レンズＬ１，Ｌ２は主として収差補正の機能を果たしている。また、レンズＬ１，Ｌ２で発生する色収差を互いに補正することにより、互いに同じ光学材料により形成されているにもかかわらず、色収差を良好に補正している。なお、一種類の光学材料だけを用いているので、レンズの加工条件を探すのも一種類で済むため、加工時間、コストなどの削減を図ることができる。
【００２７】
こうして、本実施形態の各実施例にかかる反射屈折撮影レンズでは、色収差の良好な補正と小型化との両立を図ることができるだけでなく、中央部分の欠如していない中実断面の光束が物体像を形成するので、デフォーカスに起因するリング状のボケが発生することなく、自然な物体像が得られる。
【００２８】
本実施形態にかかる反射屈折撮影レンズは、基準面（ＹＺ平面）において非対称である。この場合、収差は瞳座標の１次の色収差から発生し、奇数次の色収差が大きく発生するため、この色収差を良好に補正しなければならない。一方で、一種類の光学材料により形成された一対のレンズＬ１，Ｌ２において色収差の発生を抑えなければならないが、レンズＬ１，Ｌ２のパワーを小さく抑えると偶数次の色収差が発生しにくく、色収差の補正には有利である。各実施例では、パワーを小さく抑える必要から、レンズＬ１，Ｌ２を傾けることにより、奇数次の色収差の補正を図っている。
【００２９】
具体的に、各実施例において、２つのレンズＬ１，Ｌ２は、第二反射鏡ＣＭ２側の第１レンズＬ１の非球面形状の入射面Ｒ１１の接平面Ｔ１１と、像面ＩＭ側の第２レンズＬ２の非球面形状の入射面Ｒ２１の接平面Ｔ２１とが、基準面（ＹＺ平面）内でハの字（あるいは逆ハの字）を形成するように配置されている。このように、レンズＬ１，Ｌ２を傾けているので個々のレンズにおいて奇数次の色収差が発生するが、レンズＬ１とＬ２とを互いに反対方向に傾けているので、色収差を相殺することができ、波長による像シフトを抑えることができる。
【００３０】
また、各実施例において、第１レンズＬ１の非球面形状の入射面Ｒ１１の接平面Ｔ１１が第二基準軸ＡＸｃの直交面（ＸＹ平面）と基準面（ＹＺ平面）内でなす角度の大きさすなわち第１傾き角度θ１１、および第２レンズＬ２の非球面形状の入射面Ｒ２１の接平面Ｔ２１が第二基準軸ＡＸｃの直交面と基準面内でなす角度の大きさすなわち第２傾き角度θ２１は、５度よりも大きく且つ６５度よりも小さい。第１傾き角度θ１１および第２傾き角度θ２１を５度以下にすると、色収差の補正を十分に行うことが困難になる。一方、第１傾き角度θ１１および第２傾き角度θ２１を６５度以上にすると、色収差の補正機能はあまり劣化しなくても、レンズ配置のための所要スペースの確保が困難になる。
【００３１】
また、各実施例において、第１レンズＬ１の非球面形状の入射面Ｒ１１の接平面Ｔ１１と第１レンズＬ１の非球面形状の射出面Ｒ１２の接平面Ｔ１２とが基準面（ＹＺ平面）内でなす角度の大きさすなわち第１楔角度Δ１（Δ１＝｜θ１１−θ１２｜）、および第２レンズＬ２の非球面形状の入射面Ｒ２１の接平面Ｔ２１と第２レンズＬ２の非球面形状の射出面Ｒ２２の接平面Ｔ２２とが基準面内でなす角度の大きさすなわち第２楔角度Δ２（Δ２＝｜θ２１−θ２２｜）は、３５度よりも小さい。
【００３２】
収差補正の観点から、第１楔角度Δ１および第２楔角度Δ２は、第１実施例〜第３実施例のように、できるだけ小さいことが望ましい。しかしながら、第４実施例および第５実施例のように、第１楔角度Δ１および第２楔角度Δ２を３５度よりも小さい範囲である程度大きく設定しても、第１楔角度Δ１および第２楔角度Δ２の増大により発生する収差を、ｙｚ平面内で湾曲した光学面により補正することができる。
【００３３】
また、各実施例において、２つのレンズＬ１，Ｌ２は、第三直交面（ＸＺ平面）内でメニスカス形状を有する。すなわち、２つのレンズＬ１，Ｌ２では、各光学面が第三直交面内で比較的大きな曲率を有するが、レンズとしては比較的小さいパワーしか有しないメニスカス形状である。この構成により、２つのレンズＬ１，Ｌ２では、入射面で発生した色収差を射出面で発生する色収差により相殺することができる。
【００３４】
［第１実施例］
図２は、第１実施例にかかる反射屈折撮影レンズのＹＺ平面に沿った断面構成を概略的に示す図である。図３は、第１実施例にかかる反射屈折撮影レンズのＸＺ平面に沿った断面構成を概略的に示す図である。第１実施例を含む各実施例では、第一反射鏡ＣＭ１と第二反射鏡ＣＭ２との間の光路中に開口絞りＡＳを配置することができる。図２およびこれに対応する図６，図９，図１２，図１５，図１８では、図面の明瞭化のために、第一反射鏡ＣＭ１での反射光の光路ではなく、第一反射鏡ＣＭ１を仮想的に透過した光の光路中に配置された開口絞りＡＳを示している。
【００３５】
また、第１実施例〜第５実施例では、第一反射鏡ＣＭ１よりも物体側において参照符号ＩＰで示す位置に、保護ガラスとしての平行平面板を配置することができる。上述したように、各実施例において、レンズＬ１とＬ２とは、互いに同じ光学材料により形成されている。第１実施例では、図３に示すように、レンズＬ１，Ｌ２は第三直交面（ＸＺ平面）内でメニスカス形状を有する。次の表（１）に、第１実施例にかかる反射屈折撮影レンズの諸元の値を掲げる。
【００３６】
表（１）の硝材データの欄において、ｎeはｅ線（基準波長：５４６．１ｎｍ）に対する光学材料の屈折率を、νeはｅ線基準のアッベ数を示している。表（１）の光学部材諸元の欄において、面番号は無限遠にある物体から像面ＩＭへの光の進行する経路に沿った物体側からの面の順序を示している。すなわち、第１面は第一反射鏡ＣＭ１の反射面であり、第２面は第二反射鏡ＣＭ２の反射面であり、第３面はレンズＬ１の入射面Ｒ１１であり、第４面はレンズＬ１の射出面Ｒ１２であり、第５面はレンズＬ２の入射面Ｒ２１であり、第６面はレンズＬ２の射出面Ｒ２２であり、第７面は像面ＩＭである。
【００３７】
また、表（１）の光学部材諸元の欄には、各面における局所座標系（ｘ，ｙ，ｚ）の原点のＸ座標（単位：ｍｍ）、Ｙ座標（単位：ｍｍ）、Ｚ座標（単位：ｍｍ）、およびｙ軸のＹ軸に対する傾き角δ（単位：度）を示している。傾き角δは、対応する図の紙面においてＹ軸を反時計廻りに鋭角だけ回転させた方向とｙ軸とが一致する場合には正の値を、Ｙ軸を時計廻りに鋭角だけ回転させた方向とｙ軸とが一致する場合には負の値をとるものとする。
【００３８】
したがって、図１および図２を参照すると、第１面である第一反射鏡ＣＭ１の反射面における局所座標系（ｘ，ｙ，ｚ）の傾き角δは、θ０１であり、正の値をとる。第２面である第二反射鏡ＣＭ２の反射面における局所座標系（ｘ，ｙ，ｚ）の傾き角δは、θ０２であり、正の値をとる。第３面はレンズＬ１の入射面Ｒ１１における局所座標系（ｘ，ｙ，ｚ）の傾き角δは、θ１１であり、正の値をとる。
【００３９】
第４面であるレンズＬ１の射出面Ｒ１２における局所座標系（ｘ，ｙ，ｚ）の傾き角δは、θ１２であり、正の値をとる。第５面であるレンズＬ２の入射面Ｒ２１における局所座標系（ｘ，ｙ，ｚ）の傾き角δは、θ２１であり、負の値をとる。第６面であるレンズＬ２の射出面Ｒ２２における局所座標系（ｘ，ｙ，ｚ）の傾き角δは、θ２２であり、負の値をとる。
【００４０】
表（１）の非球面データの欄は、第一反射鏡ＣＭ１、第二反射鏡ＣＭ２、およびレンズ群Ｌ１，Ｌ２における回転非対称な非球面（自由曲面）を規定する式（１）の各パラメータを示している。なお、表（１）における表記は、以降の表（２）〜表（６）においても同様である。表（１）の硝材データの欄の記載は各実施例に共通であり、表（２）〜表（６）での重複する記載を省略する。
【００４１】
表（１）
＜硝材データ＞
ｎe       νe
硝材      1.518722     64.0
＜光学部材諸元＞
面番号    Ｘ座標      Ｙ座標      Ｚ座標      傾き角δ
1           0          0.00       182.37       15.33       （ＣＭ１）
2           0       -110.06        -0.45       15.33       （ＣＭ２）
3           0       -108.25       159.93       40.55       （Ｌ１；Ｒ１１）
4           0       -111.85       174.92       40.55       （Ｌ１；Ｒ１２）
5           0       -103.83       220.08      -40.08       （Ｌ２；Ｒ２１）
6           0       -110.26       240.72      -40.08       （Ｌ２；Ｒ２２）
7           0       -108.74       300.00        0.00       （ＩＭ）
＜非球面データ＞
面番号           1                  2                  3
4                  5                  6
C(2,0)     -4.5485E-04         1.2778E-04         4.0423E-03
7.5032E-03         1.1904E-02         1.6197E-02
C(1,1)      0.0000E+00         0.0000E+00         0.0000E+00
0.0000E+00         0.0000E+00         0.0000E+00
C(0,2)     -5.4426E-04        -2.0370E-04         1.7881E-05
8.5289E-04         5.3203E-04        -3.2559E-04
C(3,0)      0.0000E+00         0.0000E+00         0.0000E+00
0.0000E+00         0.0000E+00         0.0000E+00
C(1,2)      1.0189E-06         6.4645E-06        -1.9862E-04
-1.3519E-04        -2.5274E-04        -2.9753E-04
C(2,1)      0.0000E+00         0.0000E+00         0.0000E+00
0.0000E+00         0.0000E+00         0.0000E+00
C(0,3)      4.0475E-07         2.3828E-06        -8.6614E-06
-4.3536E-05        -4.1322E-05        -2.9955E-05
C(4,0)      1.8979E-09         1.0681E-08        -8.9615E-07
-1.1465E-06         2.0235E-06         3.8480E-06
C(3,1)      0.0000E+00         0.0000E+00         0.0000E+00
0.0000E+00         0.0000E+00         0.0000E+00
C(2,2)      3.4973E-09         3.5714E-08        -6.7566E-06
-1.0851E-05         1.9185E-06         2.6397E-06
C(1,3)      0.0000E+00         0.0000E+00         0.0000E+00
0.0000E+00         0.0000E+00         0.0000E+00
C(0,4)      1.1898E-09         1.4192E-08        -7.9287E-08
1.5370E-06         1.2697E-06         1.0925E-06
C(5,0)      0.0000E+00         0.0000E+00         0.0000E+00
0.0000E+00         0.0000E+00         0.0000E+00
C(4,1)      1.2896E-11        -1.9348E-11        -1.2712E-08
-5.9738E-08        -4.6920E-08        -1.0018E-07
C(3,2)      0.0000E+00         0.0000E+00         0.0000E+00
0.0000E+00         0.0000E+00         0.0000E+00
C(2,3)      1.8895E-11         1.4868E-10         1.0808E-07
1.9384E-07        -1.2487E-07        -1.6485E-07
C(1,4)      0.0000E+00         0.0000E+00         0.0000E+00
0.0000E+00         0.0000E+00         0.0000E+00
C(0,5)      1.2620E-11         4.1668E-10        -1.8870E-08
-2.5147E-08        -7.0869E-08        -8.9725E-08
C(6,0)      2.7729E-14         3.2753E-13        -2.7671E-10
-5.3653E-10        -4.7029E-10        -2.0790E-09
C(5,1)      0.0000E+00         0.0000E+00         0.0000E+00
0.0000E+00         0.0000E+00         0.0000E+00
C(4,2)     -3.1061E-14        -5.1674E-12         5.2151E-09
8.4118E-09         1.6619E-09         2.9180E-09
C(3,3)      0.0000E+00         0.0000E+00         0.0000E+00
0.0000E+00         0.0000E+00         0.0000E+00
C(2,4)      7.1280E-14        -1.8900E-12        -2.9271E-10
-5.9684E-10         4.0774E-09         8.9811E-09
C(1,5)      0.0000E+00         0.0000E+00         0.0000E+00
0.0000E+00         0.0000E+00         0.0000E+00
C(0,6)      1.2422E-14        -4.1081E-12         9.8721E-12
-1.5356E-10        -2.7018E-09        -2.7216E-09
C(7,0)      0.0000E+00         0.0000E+00         0.0000E+00
0.0000E+00         0.0000E+00         0.0000E+00
C(6,1)     -3.7287E-16        -2.3531E-14         3.6878E-11
3.2960E-11         7.9192E-11         2.8234E-10
C(5,2)      0.0000E+00         0.0000E+00         0.0000E+00
0.0000E+00         0.0000E+00         0.0000E+00
C(4,3)     -1.4557E-15        -6.9529E-14        -3.1498E-11
-1.0446E-10         5.5218E-11        -3.6164E-11
C(3,4)      0.0000E+00         0.0000E+00         0.0000E+00
0.0000E+00         0.0000E+00         0.0000E+00
C(2,5)     -3.8312E-16        -1.0126E-13        -1.3421E-11
-9.3971E-12         8.7879E-11         8.9466E-11
C(1,6)      0.0000E+00         0.0000E+00         0.0000E+00
0.0000E+00         0.0000E+00         0.0000E+00
C(0,7)      5.2044E-16         5.8662E-14        -3.6216E-12
1.6519E-12        -6.6089E-11        -7.5726E-11
＜条件対応値＞
θ１１＝４０．５５度
θ１２＝４０．５５度
θ２１＝４０．０８度
θ２２＝４０．０８度
Δ１＝｜θ１１−θ１２｜＝０度
Δ２＝｜θ２１−θ２２｜＝０度
【００４２】
図４は、第１実施例のｇ線、ｅ線、Ｃ線に対する収差をスポットダイアグラムで示す図である。図４では、ｇ線（波長：４３５．８ｎｍ）のスポットと、ｅ線のスポットと、Ｃ線（波長：６５６．３ｎｍ）のスポットとを、１：１：１のウェイトで重ねている。図４の表記は、対応する図８，図１１，図１４，図１７，図２０においても同様である。図５は、各実施例のスポットダイアグラムにおける９つの像点の位置を示す図である。ｅ線は本実施形態における基準波長であり、ｇ線は一般に可視光学系を検討する際の最も短い波長であり、Ｃ線は一般に可視光学系を検討する際の最も長い波長である。
【００４３】
短波長側の方が硝材の屈折率の分散が多く、最も色収差の発生するのがｇ線である。各実施例では、ＦＸフォーマットのデジタルカメラを想定し、図５に示すように、３６ｍｍ×２４ｍｍの矩形状の像面ＩＭ内での９つの像点（視点）Ｓ１〜Ｓ９でのスポットを計算した。図４における単位スケールの長さは、０．１ｍｍ＝１００μｍである。図４を参照すると、第１実施例では、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。
【００４４】
［第２実施例］
図６は、第２実施例にかかる反射屈折撮影レンズのＹＺ平面に沿った断面構成を概略的に示す図である。図７は、第２実施例にかかる反射屈折撮影レンズのＸＺ平面に沿った断面構成を概略的に示す図である。第２実施例においても、図７に示すように、レンズＬ１，Ｌ２は第三直交面（ＸＺ平面）内でメニスカス形状を有する。次の表（２）に、第２実施例にかかる反射屈折撮影レンズの諸元の値を掲げる。
【００４５】
表（２）
＜光学部材諸元＞
面番号    Ｘ座標      Ｙ座標      Ｚ座標      傾き角δ
1           0          0.00       182.37       15.56       （ＣＭ１）
2           0       -110.00         0.02       15.56       （ＣＭ２）
3           0       -110.44       159.96        5.89       （Ｌ１；Ｒ１１）
4           0       -110.00       179.93        5.89       （Ｌ１；Ｒ１２）
5           0       -109.23       219.96      -29.11       （Ｌ２；Ｒ２１）
6           0       -109.59       238.48      -29.11       （Ｌ２；Ｒ２２）
7           0       -111.81       300.00        0.00       （ＩＭ）
＜非球面データ＞
面番号           1                  2                  3
4                  5                  6
C(2,0)     -4.2211E-04         2.0120E-04         1.0987E-02
1.6557E-02         1.2925E-02         1.4129E-02
C(1,1)      0.0000E+00         0.0000E+00         0.0000E+00
0.0000E+00         0.0000E+00         0.0000E+00
C(0,2)     -5.0324E-04         3.5143E-06        -1.8829E-03
7.3000E-04        -7.2004E-04        -3.8191E-03
C(3,0)      0.0000E+00         0.0000E+00         0.0000E+00
0.0000E+00         0.0000E+00         0.0000E+00
C(1,2)      1.5613E-06         8.4106E-06         6.2083E-05
3.0651E-04        -1.4383E-04        -2.9703E-04
C(2,1)      0.0000E+00         0.0000E+00         0.0000E+00
0.0000E+00         0.0000E+00         0.0000E+00
C(0,3)      9.1061E-07         6.1526E-06        -2.7236E-04
-2.6581E-04        -7.1223E-05        -1.2940E-04
C(4,0)      2.5727E-09         1.2516E-08        -1.1906E-06
-1.9379E-06        -4.6943E-07         1.7353E-06
C(3,1)      0.0000E+00         0.0000E+00         0.0000E+00
0.0000E+00         0.0000E+00         0.0000E+00
C(2,2)      4.0734E-09        -9.5351E-09        -1.3894E-05
-2.4851E-05        -6.7569E-07         2.8757E-06
C(1,3)      0.0000E+00         0.0000E+00         0.0000E+00
0.0000E+00         0.0000E+00         0.0000E+00
C(0,4)      6.9061E-10        -2.4965E-08         9.5156E-07
3.5629E-06        -1.1725E-06        -7.1129E-06
C(5,0)      0.0000E+00         0.0000E+00         0.0000E+00
0.0000E+00         0.0000E+00         0.0000E+00
C(4,1)      2.2060E-11         3.4538E-11        -1.2235E-07
-2.2611E-07         2.4746E-07         1.8244E-07
C(3,2)      0.0000E+00         0.0000E+00         0.0000E+00
0.0000E+00         0.0000E+00         0.0000E+00
C(2,3)      1.7883E-11        -2.5426E-11        -9.0195E-08
5.7057E-08        -3.1592E-08         1.0264E-07
C(1,4)      0.0000E+00         0.0000E+00         0.0000E+00
0.0000E+00         0.0000E+00         0.0000E+00
C(0,5)      2.2607E-13         1.3544E-10         3.9129E-08
-2.9614E-08        -2.9715E-07        -3.5595E-07
C(6,0)      8.9180E-15        -7.2765E-13        -2.4742E-10
4.3157E-11        -1.6976E-09        -2.3499E-09
C(5,1)      0.0000E+00         0.0000E+00         0.0000E+00
0.0000E+00         0.0000E+00         0.0000E+00
C(4,2)      3.0995E-14        -5.3092E-12        -1.4095E-09
9.2201E-10        -7.9905E-09        -9.6890E-09
C(3,3)      0.0000E+00         0.0000E+00         0.0000E+00
0.0000E+00         0.0000E+00         0.0000E+00
C(2,4)      1.7018E-13         6.6962E-13         4.1715E-09
7.4733E-09         8.5863E-09         1.6277E-08
C(1,5)      0.0000E+00         0.0000E+00         0.0000E+00
0.0000E+00         0.0000E+00         0.0000E+00
C(0,6)      3.1256E-14        -4.4439E-13        -7.3302E-10
-1.0256E-11        -6.9610E-09        -8.5303E-09
C(7,0)      0.0000E+00         0.0000E+00         0.0000E+00
0.0000E+00         0.0000E+00         0.0000E+00
C(6,1)     -4.4805E-16        -1.6130E-14        -4.3338E-12
5.2493E-11         1.5800E-10         3.0944E-10
C(5,2)      0.0000E+00         0.0000E+00         0.0000E+00
0.0000E+00         0.0000E+00         0.0000E+00
C(4,3)      2.2891E-15         1.3135E-13         2.1186E-11
1.0292E-10        -5.8773E-11        -1.4387E-10
C(3,4)      0.0000E+00         0.0000E+00         0.0000E+00
0.0000E+00         0.0000E+00         0.0000E+00
C(2,5)      9.6681E-16         1.4544E-14         2.5663E-12
-9.5034E-11         3.2747E-10         1.0030E-10
C(1,6)      0.0000E+00         0.0000E+00         0.0000E+00
0.0000E+00         0.0000E+00         0.0000E+00
C(0,7)      9.7654E-16         3.1260E-14        -1.3069E-11
2.6680E-11        -2.3796E-10        -2.3683E-10
＜条件対応値＞
θ１１＝５．８９度
θ１２＝５．８９度
θ２１＝２９．１１度
θ２２＝２９．１１度
Δ１＝｜θ１１−θ１２｜＝０度
Δ２＝｜θ２１−θ２２｜＝０度
【００４６】
図８は、第２実施例のｇ線、ｅ線、Ｃ線に対する収差をスポットダイアグラムで示す図である。図８を参照すると、第２実施例においても第１実施例と同様に、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。
【００４７】
［第３実施例］
図９は、第３実施例にかかる反射屈折撮影レンズのＹＺ平面に沿った断面構成を概略的に示す図である。図１０は、第３実施例にかかる反射屈折撮影レンズのＸＺ平面に沿った断面構成を概略的に示す図である。第３実施例においても、図１０に示すように、レンズＬ１，Ｌ２は第三直交面（ＸＺ平面）内でメニスカス形状を有する。次の表（３）に、第３実施例にかかる反射屈折撮影レンズの諸元の値を掲げる。
【００４８】
表（３）
＜光学部材諸元＞
面番号    Ｘ座標      Ｙ座標      Ｚ座標      傾き角δ
1           0          0.00       182.37       15.33       （ＣＭ１）
2           0       -110.06        -0.45       15.33       （ＣＭ２）
3           0       -108.48       160.01       64.05       （Ｌ１；Ｒ１１）
4           0       -117.31       168.15       64.05       （Ｌ１；Ｒ１２）
5           0       -103.30       220.10      -65.95       （Ｌ２；Ｒ２１）
6           0       -107.37       235.91      -65.95       （Ｌ２；Ｒ２２）
7           0       -111.42       300.00        0.00       （ＩＭ）
＜非球面データ＞
面番号           1                  2                  3
4                  5                  6
C(2,0)     -5.0222E-04        -8.7543E-06         6.9590E-04
1.7375E-03         4.4388E-03         5.1802E-03
C(1,1)      0.0000E+00         0.0000E+00         0.0000E+00
0.0000E+00         0.0000E+00         0.0000E+00
C(0,2)     -4.6957E-04         1.1668E-04         3.0512E-04
7.8196E-04         5.6658E-04         8.5056E-04
C(3,0)      0.0000E+00         0.0000E+00         0.0000E+00
0.0000E+00         0.0000E+00         0.0000E+00
C(1,2)      7.3146E-07         4.2881E-06        -7.7462E-05
-6.0190E-05        -3.6815E-05        -4.3494E-05
C(2,1)      0.0000E+00         0.0000E+00         0.0000E+00
0.0000E+00         0.0000E+00         0.0000E+00
C(0,3)      7.2747E-08         2.3530E-07         1.0403E-05
-3.8273E-05         1.8033E-05         2.6161E-05
C(4,0)      1.1639E-09         1.0830E-08        -1.0516E-06
-1.0045E-06         1.2348E-07         2.1912E-07
C(3,1)      0.0000E+00         0.0000E+00         0.0000E+00
0.0000E+00         0.0000E+00         0.0000E+00
C(2,2)      1.7315E-09         1.6736E-08        -1.2018E-07
-1.2600E-06         2.5136E-07        -5.4416E-08
C(1,3)      0.0000E+00         0.0000E+00         0.0000E+00
0.0000E+00         0.0000E+00         0.0000E+00
C(0,4)      2.1193E-10        -1.8771E-09         2.2070E-07
1.3486E-06         2.2763E-07        -2.3940E-08
C(5,0)      0.0000E+00         0.0000E+00         0.0000E+00
0.0000E+00         0.0000E+00         0.0000E+00
C(4,1)      4.4667E-12        -1.6928E-11         2.1580E-09
-1.5074E-08        -5.7077E-09        -7.0860E-09
C(3,2)      0.0000E+00         0.0000E+00         0.0000E+00
0.0000E+00         0.0000E+00         0.0000E+00
C(2,3)      1.1116E-11         2.9525E-10         2.1797E-08
3.3404E-08        -1.2034E-08        -9.4440E-09
C(1,4)      0.0000E+00         0.0000E+00         0.0000E+00
0.0000E+00         0.0000E+00         0.0000E+00
C(0,5)      5.1159E-11         1.1688E-09        -1.8407E-08
-4.3728E-09        -1.0398E-08        -1.3714E-08
C(6,0)      4.9431E-16        -3.8126E-13         3.0785E-10
2.3914E-10         9.6718E-11         2.2131E-10
C(5,1)      0.0000E+00         0.0000E+00         0.0000E+00
0.0000E+00         0.0000E+00         0.0000E+00
C(4,2)      6.6877E-14         1.7617E-12         5.6625E-10
8.8612E-10         5.5967E-11        -4.3988E-11
C(3,3)      0.0000E+00         0.0000E+00         0.0000E+00
0.0000E+00         0.0000E+00         0.0000E+00
C(2,4)      1.0668E-13        -3.1576E-12        -2.1109E-10
-9.7387E-11         9.2367E-11         3.6902E-10
C(1,5)      0.0000E+00         0.0000E+00         0.0000E+00
0.0000E+00         0.0000E+00         0.0000E+00
C(0,6)      1.4176E-13        -3.6356E-13        -5.1643E-13
-4.1694E-10        -1.7658E-11         1.0151E-14
C(7,0)      0.0000E+00         0.0000E+00         0.0000E+00
0.0000E+00         0.0000E+00         0.0000E+00
C(6,1)     -7.1005E-17        -2.5799E-14         1.0556E-11
9.7200E-12         1.3154E-11         2.5949E-11
C(5,2)      0.0000E+00         0.0000E+00         0.0000E+00
0.0000E+00         0.0000E+00         0.0000E+00
C(4,3)     -1.1181E-15        -9.5781E-14        -7.5230E-12
-8.1709E-12        -3.5292E-12        -9.6230E-12
C(3,4)      0.0000E+00         0.0000E+00         0.0000E+00
0.0000E+00         0.0000E+00         0.0000E+00
C(2,5)      1.1288E-15         3.8744E-14        -1.5462E-12
-2.1401E-12         2.4168E-12         4.5408E-12
C(1,6)      0.0000E+00         0.0000E+00         0.0000E+00
0.0000E+00         0.0000E+00         0.0000E+00
C(0,7)      1.6133E-15         4.7258E-14         3.3755E-12
4.3321E-12         1.7725E-12         1.6556E-12
＜条件対応値＞
θ１１＝６４．０５度
θ１２＝６４．０５度
θ２１＝６５．９５度
θ２２＝６５．９５度
Δ１＝｜θ１１−θ１２｜＝０度
Δ２＝｜θ２１−θ２２｜＝０度
【００４９】
図１１は、第３実施例のｇ線、ｅ線、Ｃ線に対する収差をスポットダイアグラムで示す図である。図１１を参照すると、第３実施例においても第１実施例および第２実施例と同様に、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。
【００５０】
［第４実施例］
図１２は、第４実施例にかかる反射屈折撮影レンズのＹＺ平面に沿った断面構成を概略的に示す図である。図１３は、第４実施例にかかる反射屈折撮影レンズのＸＺ平面に沿った断面構成を概略的に示す図である。第４実施例においても、図１３に示すように、レンズＬ１，Ｌ２は第三直交面（ＸＺ平面）内でメニスカス形状を有する。次の表（４）に、第４実施例にかかる反射屈折撮影レンズの諸元の値を掲げる。
【００５１】
表（４）
＜光学部材諸元＞
面番号    Ｘ座標      Ｙ座標      Ｚ座標      傾き角δ
1           0          0.00       182.37       14.87       （ＣＭ１）
2           0       -110.18        -1.35       14.87       （ＣＭ２）
3           0       -104.24       160.35       18.33       （Ｌ１；Ｒ１１）
4           0       -111.61       174.30       43.33       （Ｌ１；Ｒ１２）
5           0       -108.61       219.97      -31.44       （Ｌ２；Ｒ２１）
6           0       -108.89       237.15      -39.83       （Ｌ２；Ｒ２２）
7           0       -112.97       300.00        0.00       （ＩＭ）
＜非球面データ＞
面番号           1                  2                  3
4                  5                  6
C(2,0)     -5.1393E-04        -4.4858E-05        -3.1561E-03
-4.4639E-03         1.1901E-02         1.3367E-02
C(1,1)      0.0000E+00         0.0000E+00         0.0000E+00
0.0000E+00         0.0000E+00         0.0000E+00
C(0,2)     -4.1675E-04         5.6902E-05         1.3181E-02
1.0602E-02         1.5533E-03        -3.9581E-03
C(3,0)      0.0000E+00         0.0000E+00         0.0000E+00
0.0000E+00         0.0000E+00         0.0000E+00
C(1,2)      3.7790E-07         9.9406E-07         2.0403E-04
1.0332E-04        -3.0675E-04        -2.4927E-04
C(2,1)      0.0000E+00         0.0000E+00         0.0000E+00
0.0000E+00         0.0000E+00         0.0000E+00
C(0,3)      1.5728E-06         9.3621E-06         3.9661E-05
2.7207E-04        -1.3872E-04        -1.4560E-04
C(4,0)      1.3869E-09         1.7383E-08        -2.1254E-06
-1.8020E-06         9.0126E-08         1.9870E-06
C(3,1)      0.0000E+00         0.0000E+00         0.0000E+00
0.0000E+00         0.0000E+00         0.0000E+00
C(2,2)     -4.1423E-10        -3.2935E-08         2.0797E-06
2.2186E-06         2.4870E-06         3.4252E-06
C(1,3)      0.0000E+00         0.0000E+00         0.0000E+00
0.0000E+00         0.0000E+00         0.0000E+00
C(0,4)     -1.7187E-10        -7.3959E-08        -3.7083E-06
5.2605E-06        -2.8091E-06        -7.4575E-06
C(5,0)      0.0000E+00         0.0000E+00         0.0000E+00
0.0000E+00         0.0000E+00         0.0000E+00
C(4,1)     -5.0396E-13        -2.1380E-11        -2.8857E-08
-4.3183E-08         7.2852E-08         3.4277E-08
C(3,2)      0.0000E+00         0.0000E+00         0.0000E+00
0.0000E+00         0.0000E+00         0.0000E+00
C(2,3)      1.0649E-11         6.0977E-10        -5.7630E-08
4.9756E-08        -2.4905E-08         8.0697E-08
C(1,4)      0.0000E+00         0.0000E+00         0.0000E+00
0.0000E+00         0.0000E+00         0.0000E+00
C(0,5)     -4.6480E-12         5.0202E-10        -5.7991E-08
9.2449E-08        -3.1990E-07        -3.7740E-07
C(6,0)      2.0582E-15        -4.1817E-13         4.0188E-11
3.3683E-10        -3.7927E-10        -1.4594E-09
C(5,1)      0.0000E+00         0.0000E+00         0.0000E+00
0.0000E+00         0.0000E+00         0.0000E+00
C(4,2)      3.7744E-14         2.7293E-13         1.0052E-09
-1.9686E-10        -5.0018E-09        -4.2932E-09
C(3,3)      0.0000E+00         0.0000E+00         0.0000E+00
0.0000E+00         0.0000E+00         0.0000E+00
C(2,4)     -5.1310E-14        -6.1205E-12         7.7090E-10
1.7230E-09        -3.6361E-09         7.8712E-09
C(1,5)      0.0000E+00         0.0000E+00         0.0000E+00
0.0000E+00         0.0000E+00         0.0000E+00
C(0,6)      8.9045E-14        -2.1271E-12        -5.4587E-11
7.9252E-10        -1.0740E-08        -8.6622E-09
C(7,0)      0.0000E+00         0.0000E+00         0.0000E+00
0.0000E+00         0.0000E+00         0.0000E+00
C(6,1)     -2.6009E-16        -3.2200E-14        -8.4884E-12
-1.7506E-11        -2.8028E-11        -4.9891E-11
C(5,2)      0.0000E+00         0.0000E+00         0.0000E+00
0.0000E+00         0.0000E+00         0.0000E+00
C(4,3)      6.0319E-16         1.4295E-14         1.1002E-11
-7.7649E-11         1.0604E-10        -2.2442E-11
C(3,4)      0.0000E+00         0.0000E+00         0.0000E+00
0.0000E+00         0.0000E+00         0.0000E+00
C(2,5)     -2.1080E-15         6.5636E-16        -2.4898E-11
4.8416E-11         1.0854E-10         1.8329E-10
C(1,6)      0.0000E+00         0.0000E+00         0.0000E+00
0.0000E+00         0.0000E+00         0.0000E+00
C(0,7)      7.6313E-16         5.9530E-15         1.2579E-11
-1.0702E-12         2.7981E-11        -3.4522E-11
＜条件対応値＞
θ１１＝１８．３３度
θ１２＝４３．３３度
θ２１＝３１．４４度
θ２２＝３９．８３度
Δ１＝｜θ１１−θ１２｜＝２５．００度
Δ２＝｜θ２１−θ２２｜＝８．３９度
【００５２】
図１４は、第４実施例のｇ線、ｅ線、Ｃ線に対する収差をスポットダイアグラムで示す図である。図１４を参照すると、第４実施例においても第１実施例〜第３実施例と同様に、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。
【００５３】
［第５実施例］
図１５は、第５実施例にかかる反射屈折撮影レンズのＹＺ平面に沿った断面構成を概略的に示す図である。図１６は、第５実施例にかかる反射屈折撮影レンズのＸＺ平面に沿った断面構成を概略的に示す図である。第５実施例においても、図１６に示すように、レンズＬ１，Ｌ２は第三直交面（ＸＺ平面）内でメニスカス形状を有する。次の表（５）に、第５実施例にかかる反射屈折撮影レンズの諸元の値を掲げる。
【００５４】
表（５）
＜光学部材諸元＞
面番号    Ｘ座標      Ｙ座標      Ｚ座標      傾き角δ
1           0          0.00       182.37       15.26       （ＣＭ１）
2           0       -110.08        -0.58       15.26       （ＣＭ２）
3           0       -108.77       159.01       51.57       （Ｌ１；Ｒ１１）
4           0       -110.87       177.36       16.57       （Ｌ１；Ｒ１２）
5           0        -90.18       219.97      -55.01       （Ｌ２；Ｒ２１）
6           0       -113.34       248.00      -35.64       （Ｌ２；Ｒ２２）
7           0        -98.70       300.00        0.00       （ＩＭ）
＜非球面データ＞
面番号           1                  2                  3
4                  5                  6
C(2,0)     -4.7124E-04         1.1233E-04         9.1233E-04
3.9694E-03         4.2936E-03         8.8476E-03
C(1,1)      0.0000E+00         0.0000E+00         0.0000E+00
0.0000E+00         0.0000E+00         0.0000E+00
C(0,2)     -6.1225E-04        -2.7608E-04        -6.9983E-03
-1.5930E-02         3.0917E-03         6.8870E-03
C(3,0)      0.0000E+00         0.0000E+00         0.0000E+00
0.0000E+00         0.0000E+00         0.0000E+00
C(1,2)      6.8093E-07         4.7230E-06        -1.4827E-04
-1.7676E-04        -1.4271E-05        -7.1655E-05
C(2,1)      0.0000E+00         0.0000E+00         0.0000E+00
0.0000E+00         0.0000E+00         0.0000E+00
C(0,3)      3.8291E-07         2.5399E-06         5.6492E-05
-1.4011E-04         1.1204E-06        -7.7880E-05
C(4,0)      1.6988E-09         1.4469E-08        -8.8054E-07
9.3565E-08         3.4854E-07         9.0737E-07
C(3,1)      0.0000E+00         0.0000E+00         0.0000E+00
0.0000E+00         0.0000E+00         0.0000E+00
C(2,2)      2.2226E-09         3.6264E-08         1.1416E-06
-4.0081E-06        -1.2247E-07         2.3398E-06
C(1,3)      0.0000E+00         0.0000E+00         0.0000E+00
0.0000E+00         0.0000E+00         0.0000E+00
C(0,4)      3.7335E-09         9.7853E-08        -1.2705E-07
6.1666E-06         3.9422E-07         3.7352E-06
C(5,0)      0.0000E+00         0.0000E+00         0.0000E+00
0.0000E+00         0.0000E+00         0.0000E+00
C(4,1)      5.8751E-12        -7.8795E-11         4.0035E-09
-1.2930E-07        -1.0722E-08        -1.2521E-08
C(3,2)      0.0000E+00         0.0000E+00         0.0000E+00
0.0000E+00         0.0000E+00         0.0000E+00
C(2,3)      1.1361E-11        -2.1529E-10         3.1906E-08
1.1866E-07        -2.9046E-08        -2.4804E-08
C(1,4)      0.0000E+00         0.0000E+00         0.0000E+00
0.0000E+00         0.0000E+00         0.0000E+00
C(0,5)     -6.1419E-12        -4.8392E-10         9.0679E-09
-8.1717E-08        -5.9320E-09        -6.6746E-08
C(6,0)      1.8715E-14        -8.4283E-14        -3.2930E-10
-1.2154E-09        -8.0249E-11         5.4212E-11
C(5,1)      0.0000E+00         0.0000E+00         0.0000E+00
0.0000E+00         0.0000E+00         0.0000E+00
C(4,2)      8.5349E-14         7.8279E-13         9.8169E-10
5.2115E-09         4.3633E-10        -1.9665E-10
C(3,3)      0.0000E+00         0.0000E+00         0.0000E+00
0.0000E+00         0.0000E+00         0.0000E+00
C(2,4)      5.4769E-14        -4.1533E-12        -4.5943E-10
-2.1639E-10        -2.2162E-11        -2.1806E-09
C(1,5)      0.0000E+00         0.0000E+00         0.0000E+00
0.0000E+00         0.0000E+00         0.0000E+00
C(0,6)      6.9453E-14        -3.9555E-12        -2.0475E-10
7.9122E-10        -1.1954E-10         6.7853E-10
C(7,0)      0.0000E+00         0.0000E+00         0.0000E+00
0.0000E+00         0.0000E+00         0.0000E+00
C(6,1)      2.2061E-16         8.9158E-15         1.8922E-11
4.8483E-11        -1.8353E-12         1.6723E-14
C(5,2)      0.0000E+00         0.0000E+00         0.0000E+00
0.0000E+00         0.0000E+00         0.0000E+00
C(4,3)     -5.1958E-17         1.4891E-14        -2.0726E-11
-5.9706E-11        -4.0873E-12         1.4414E-11
C(3,4)      0.0000E+00         0.0000E+00         0.0000E+00
0.0000E+00         0.0000E+00         0.0000E+00
C(2,5)      1.3457E-15         1.8466E-13         1.2438E-12
-1.8377E-12         1.0703E-11         3.9784E-11
C(1,6)      0.0000E+00         0.0000E+00         0.0000E+00
0.0000E+00         0.0000E+00         0.0000E+00
C(0,7)     -5.5501E-16        -3.8044E-15         1.4599E-12
-3.0853E-12         1.0919E-12        -1.0658E-11
＜条件対応値＞
θ１１＝５１．５７度
θ１２＝１６．５７度
θ２１＝５５．０１度
θ２２＝３５．６４度
Δ１＝｜θ１１−θ１２｜＝３５．００度
Δ２＝｜θ２１−θ２２｜＝１９．３７度
【００５５】
図１７は、第５実施例のｇ線、ｅ線、Ｃ線に対する収差をスポットダイアグラムで示す図である。図１７を参照すると、第５実施例においても第１実施例〜第４実施例と同様に、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。
【００５６】
［第６実施例］
図１８は、第６実施例にかかる反射屈折撮影レンズのＹＺ平面に沿った断面構成を概略的に示す図である。図１９は、第６実施例にかかる反射屈折撮影レンズのＸＺ平面に沿った断面構成を概略的に示す図である。第６実施例においても、図１９に示すように、レンズＬ１，Ｌ２は第三直交面（ＸＺ平面）内でメニスカス形状を有する。第６実施例では、第一反射鏡ＣＭ１の物体側に保護レンズＬ０が付設されている。
【００５７】
したがって、第１面は保護レンズＬ０の入射面であり、第２面は保護レンズＬ０の射出面であり、第３面は第一反射鏡ＣＭ１の反射面であり、第４面は第二反射鏡ＣＭ２の反射面であり、第５面はレンズＬ１の入射面Ｒ１１であり、第６面はレンズＬ１の射出面Ｒ１２であり、第７面はレンズＬ２の入射面Ｒ２１であり、第８面はレンズＬ２の射出面Ｒ２２であり、第９面は像面ＩＭである。
【００５８】
前述したように、保護レンズＬ０の入射面および射出面の局所座標系（ｘ，ｙ，ｚ）のｘ軸、ｙ軸およびｚ軸は、Ｘ軸、Ｙ軸およびＺ軸とそれぞれ平行に設定されている。表（６）の非球面データの欄は、保護レンズＬ０、第一反射鏡ＣＭ１、第二反射鏡ＣＭ２、およびレンズ群Ｌ１，Ｌ２における回転非対称な非球面を規定する式（１）の各パラメータを示している。次の表（６）に、第６実施例にかかる反射屈折撮影レンズの諸元の値を掲げる。
【００５９】
表（６）
＜光学部材諸元＞
面番号    Ｘ座標      Ｙ座標      Ｚ座標      傾き角δ
1           0          0.00         0.00        0.00       （Ｌ０の入射面）
2           0          0.00        15.00        0.00       （Ｌ０の射出面）
3           0          0.00       197.37       15.53       （ＣＭ１）
4           0       -110.00        14.97       15.53       （ＣＭ２）
5           0       -110.03       174.91       34.33       （Ｌ１；Ｒ１１）
6           0       -110.93       192.14       35.89       （Ｌ１；Ｒ１２）
7           0       -110.26       215.77      -21.44       （Ｌ２；Ｒ２１）
8           0       -110.07       234.72      -23.37       （Ｌ２；Ｒ２２）
9           0       -109.25       322.23        0.00       （ＩＭ）
＜非球面データ＞
面番号          1                 2                 3                 4
5                 6                 7                 8
C(2,0)    -1.0145E-03       -1.1202E-03       -2.5556E-04        7.2340E-04
-2.1794E-02       -1.4712E-02        1.2247E-02        1.5372E-02
C(1,1)     0.0000E+00        0.0000E+00        0.0000E+00        0.0000E+00
0.0000E+00        0.0000E+00        0.0000E+00        0.0000E+00
C(0,2)    -1.9340E-04       -2.2531E-04       -4.6131E-04        4.4300E-06
0.0000E+00        0.0000E+00        0.0000E+00        0.0000E+00
C(3,0)     0.0000E+00        0.0000E+00        0.0000E+00        0.0000E+00
0.0000E+00        0.0000E+00        0.0000E+00        0.0000E+00
C(1,2)    -5.5764E-05       -5.2861E-05       -1.1595E-06       -1.8245E-06
7.8909E-05        4.0287E-05       -4.8736E-05       -2.5369E-05
C(2,1)     0.0000E+00        0.0000E+00        0.0000E+00        0.0000E+00
0.0000E+00        0.0000E+00        0.0000E+00        0.0000E+00
C(0,3)    -2.7135E-06       -2.6259E-06        5.3343E-08       -6.6065E-07
1.6071E-05       -5.8083E-06       -2.7378E-05        2.7130E-05
C(4,0)    -3.9600E-08       -1.6279E-08       -2.6429E-09        1.4648E-08
-7.2808E-07        1.0865E-07        3.6137E-07       -5.7647E-07
C(3,1)     0.0000E+00        0.0000E+00        0.0000E+00        0.0000E+00
0.0000E+00        0.0000E+00        0.0000E+00        0.0000E+00
C(2,2)     1.3353E-07        1.9081E-07       -7.4930E-09       -2.0866E-09
-6.9711E-07        5.9190E-07        6.2146E-06        4.1398E-06
C(1,3)     0.0000E+00        0.0000E+00        0.0000E+00        0.0000E+00
0.0000E+00        0.0000E+00        0.0000E+00        0.0000E+00
C(0,4)    -2.3432E-07       -2.2523E-07       -4.2590E-09       -2.2831E-08
2.5483E-07        5.7091E-07        3.0632E-06        1.2236E-06
C(5,0)     0.0000E+00        0.0000E+00        0.0000E+00        0.0000E+00
0.0000E+00        0.0000E+00        0.0000E+00        0.0000E+00
C(4,1)    -3.2188E-09       -3.6337E-09        2.7071E-10        6.8704E-10
-4.6621E-08       -1.8772E-08       -2.5522E-08       -3.9034E-08
C(3,2)     0.0000E+00        0.0000E+00        0.0000E+00        0.0000E+00
0.0000E+00        0.0000E+00        0.0000E+00        0.0000E+00
C(2,3)    -2.1229E-09       -2.0126E-09        7.4580E-13       -2.3365E-10
1.0059E-07        5.1828E-08       -1.1820E-07       -6.6716E-08
C(1,4)     0.0000E+00        0.0000E+00        0.0000E+00        0.0000E+00
0.0000E+00        0.0000E+00        0.0000E+00        0.0000E+00
C(0,5)    -9.2615E-10       -8.1077E-10       -3.0003E-11       -2.9002E-10
2.6119E-08        8.8447E-09       -9.9826E-09       -1.1195E-08
C(6,0)    -4.1988E-12       -3.6166E-12        3.6359E-13        1.0245E-12
-3.0119E-11       -1.2868E-10        9.0556E-10        3.2924E-09
C(5,1)     0.0000E+00        0.0000E+00        0.0000E+00        0.0000E+00
0.0000E+00        0.0000E+00        0.0000E+00        0.0000E+00
C(4,2)     2.5755E-12        9.6486E-12        5.5588E-13        5.0641E-12
-2.5482E-09       -1.2202E-09        2.9965E-09        7.5379E-09
C(3,3)     0.0000E+00        0.0000E+00        0.0000E+00        0.0000E+00
0.0000E+00        0.0000E+00        0.0000E+00        0.0000E+00
C(2,4)     6.3634E-13        3.8754E-12       -3.4375E-14       -4.2031E-13
-4.1918E-09       -2.0589E-09        5.4179E-10        2.2941E-09
C(1,5)     0.0000E+00        0.0000E+00        0.0000E+00        0.0000E+00
0.0000E+00        0.0000E+00        0.0000E+00        0.0000E+00
C(0,6)     1.8503E-13        2.6075E-12        8.6188E-14        7.6116E-13
-4.2429E-10        1.2428E-10       -2.3721E-09       -3.1390E-09
C(7,0)     0.0000E+00        0.0000E+00        0.0000E+00        0.0000E+00
0.0000E+00        0.0000E+00        0.0000E+00        0.0000E+00
C(6,1)     9.5888E-14        1.0015E-13       -1.5184E-15       -1.6174E-15
8.6665E-12       -4.4504E-12       -2.5349E-11       -7.1373E-11
C(5,2)     0.0000E+00        0.0000E+00        0.0000E+00        0.0000E+00
0.0000E+00        0.0000E+00        0.0000E+00        0.0000E+00
C(4,3)     7.5405E-14        4.1240E-14       -9.2771E-15       -4.3499E-14
8.4643E-11        4.4138E-11       -3.9429E-11       -1.8646E-10
C(3,4)     0.0000E+00        0.0000E+00        0.0000E+00        0.0000E+00
0.0000E+00        0.0000E+00        0.0000E+00        0.0000E+00
C(2,5)     4.0590E-14        4.6738E-14       -1.9644E-16       -6.3345E-16
2.7857E-11        3.3082E-12       -3.3851E-11       -9.3216E-11
C(1,6)     0.0000E+00        0.0000E+00        0.0000E+00        0.0000E+00
0.0000E+00        0.0000E+00        0.0000E+00        0.0000E+00
C(0,7)    -7.3456E-15        1.1868E-14        6.6607E-16        1.5037E-14
-1.1264E-12       -4.7888E-12        2.1578E-11       -1.0153E-12
＜条件対応値＞
θ１１＝３４．３３度
θ１２＝３５．８９度
θ２１＝２１．４４度
θ２２＝２３．３７度
Δ１＝｜θ１１−θ１２｜＝１．５６度
Δ２＝｜θ２１−θ２２｜＝１．９３度
【００６０】
図２０は、第６実施例のｇ線、ｅ線、Ｃ線に対する収差をスポットダイアグラムで示す図である。図２０を参照すると、第６実施例においても第１実施例〜第５実施例と同様に、スポットサイズが各像点Ｓ１〜Ｓ９で十分小さく、像面ＩＭの全体に亘って収差が均一で且つ良く補正されていることが分かる。さらに、各像点Ｓ１〜Ｓ９でのスポットの形がほぼ対称になっており、非対称な収差が良く補正されていることが分かる。第６実施例では、回転非対称な非球面状の入射面および射出面を有する保護レンズＬ０が第一反射鏡ＣＭ１の物体側に付設されているので、第１実施例〜第５実施例よりも色収差が良好に補正されている。
【００６１】
以上のように、本実施形態では、偏心光学系という回転非対称な光学系であるにも関わらず、非対称な収差の発生を良好に抑えている。また、本実施形態では、可視の波長帯の光に対して３６ｍｍ×２４ｍｍという比較的広い像面の全体に亘って色収差が十分に低減された光学系を実現している。なお、反射鏡や屈折部材（レンズなど）を樹脂で形成することにより軽量化を図ることができる。
【００６２】
上述の説明では、例えばカメラに用いられる反射屈折撮影レンズに対して本発明を適用している。しかしながら、これに限定されることなく、他の適当な画像機器に対して同様に本発明を適用することができる。
【符号の説明】
【００６３】
ＣＭ１  第一反射鏡
ＣＭ２  第二反射鏡
Ｌ０  保護レンズ
Ｌ１，Ｌ２  レンズ
ＩＭ  像面
ＡＸａ，ＡＸｂ，ＡＸｃ  基準軸
【図１】
2014081414.tif 000004
【図２】
2014081414.tif 000005
【図３】
2014081414.tif 000006
【図４】
2014081414.tif 000007
【図５】
2014081414.tif 000008
【図６】
2014081414.tif 000009
【図７】
2014081414.tif 000010
【図８】
2014081414.tif 000011
【図９】
2014081414.tif 000012
【図１０】
2014081414.tif 000013
【図１１】
2014081414.tif 000014
【図１２】
2014081414.tif 000015
【図１３】
2014081414.tif 000016
【図１４】
2014081414.tif 000017
【図１５】
2014081414.tif 000018
【図１６】
2014081414.tif 000019
【図１７】
2014081414.tif 000020
【図１８】
2014081414.tif 000021
【図１９】
2014081414.tif 000022
【図２０】
2014081414.tif 000023